(57)【要約】  【課題】  汎用性を持たせつつ、且つ、入力装置間の整合性を図ることが可能な情報処理装置、表示制御方法及び表示制御プログラムを提供する。  【解決手段】  プリンタ１００は、プリントアプリケーションプログラム１２２を実行するアプリケーション実行部１１０を有し、利用者の操作指示に応じた所定の情報処理を行うものであって、タッチパネル式の表示部１５０と、複数の操作キーを有するキーボード１４０と、キーボード１４０が有する操作キーに関する情報と、プリントアプリケーションプログラム１２２の実行に際して必要な操作キーに関する情報とを取得し、これらに基づいて、プリントアプリケーションプログラム１２２の実行に際して必要な操作キーのうち、キーボード１４０が有していない操作キーを表す画像を表示部１５０に表示させる制御を行う表示・入力制御部１３０とを有する。【選択図】  図１
2006079357.tif 000002
【特許請求の範囲】
【請求項１】
アプリケーションプログラムを実行するアプリケーション実行手段を有し、操作指示に応じた所定の情報処理を行う情報処理装置であって、
タッチパネル式の表示部と、
複数の操作キーを有する操作部と、
前記操作部が有する操作キーに関する情報を取得する操作キー情報取得手段と、
前記アプリケーションの実行に際して必要な操作キーに関する情報を取得する実行操作キー情報取得手段と、
前記操作キー情報取得手段により取得された前記操作部が有する操作キーに関する情報と、前記実行操作キー取得手段により取得された前記アプリケーションの実行に際して必要な操作キーに関する情報とに基づいて、前記アプリケーションプログラムの実行に際して必要な操作キーのうち、前記操作部が有していない操作キーを表す画像を前記表示部に表示させる制御を行う表示制御手段とを有することを特徴とする情報処理装置。
【請求項２】
前記操作部が有する操作キーの押下と、前記表示部に表示された前記操作キーを表す画像の表示領域の押下とのそれぞれに応じた操作情報を前記アプリケーション実行手段へ出力する操作情報出力手段を有することを特徴とする請求項１に記載の情報処理装置。
【請求項３】
前記操作部が有する操作キーのうち、前記実行操作キー取得手段により取得された前記アプリケーションの実行に際して必要な操作キー以外の操作キーが押下された場合に、該操作キーの押下の無効を通知する無効通知手段を有することを特徴とする請求項１又は２に記載の情報処理装置。
【請求項４】
アプリケーションプログラムを実行し、操作指示に応じた所定の情報処理を行う情報処理装置における表示制御方法であって、
操作部が有する操作キーに関する情報を取得する操作キー情報取得ステップと、
前記アプリケーションの実行に際して必要な操作キーに関する情報を取得する実行操作キー情報取得ステップと、
前記操作キー情報取得ステップにおいて取得された前記操作部が有する操作キーに関する情報と、前記実行操作キー取得ステップにおいて取得された前記アプリケーションの実行に際して必要な操作キーに関する情報とに基づいて、前記アプリケーションプログラムの実行に際して必要な操作キーのうち、前記操作部が有していない操作キーを表す画像を表示部に表示させる制御を行う表示制御ステップとを有することを特徴とする表示制御方法。
【請求項５】
アプリケーションプログラムを実行し、操作指示に応じた所定の情報処理を行う情報処理装置において実行される表示制御プログラムであって、
操作部が有する操作キーに関する情報を取得する操作キー情報取得ステップと、
前記アプリケーションの実行に際して必要な操作キーに関する情報を取得する実行操作キー情報取得ステップと、
前記操作キー情報取得ステップにおいて取得された前記操作部が有する操作キーに関する情報と、前記実行操作キー取得ステップにおいて取得された前記アプリケーションの実行に際して必要な操作キーに関する情報とに基づいて、前記アプリケーションプログラムの実行に際して必要な操作キーのうち、前記操作部が有していない操作キーを特定する不足操作キー特定ステップと、
前記不足操作キー特定ステップにおいて特定された前記操作キーを表す画像を表示部に表示させる制御を行う表示制御ステップとを有することを特徴とする表示制御プログラム。
【発明の詳細な説明】
【技術分野】
【０００１】
本発明は、アプリケーションプログラムを実行し、操作指示に応じた所定の情報処理を行う情報処理装置、当該情報処理装置における表示制御方法、及び、当該情報処理装置において実行される表示制御プログラムに関する。
【背景技術】
【０００２】
プリンタやコピー機、スキャナ、あるいは、これらの機能を併せ持ついわゆるデジタル複合機等の画像処理装置をはじめとする各種情報処理装置は、利用者の操作指示に応じた様々な処理を行う。例えば、プリンタでは、印刷時の倍率等が利用者によって指示されると、その指示された倍率等に応じてアプリケーションプログラムが実行されて印刷が行われる。
【０００３】
利用者の操作指示は、入力装置によって受け付けられる。入力装置としては、キーボードやタッチパネル式のディスプレイがある。利用者は、キーボードが有する操作キーを押下したり、ディスプレイに表示される操作キー画像の表示領域を押下することによって、操作指示を行う。ディスプレイに表示される操作キー画像の表示制御としては、表示対象の操作キーの表示領域等の情報を保持し、この情報の内容に基づいた表示制御を行う方法（例えば、特許文献１及び２参照）がある。
【特許文献１】特開平７−３０７８１７号公報
【特許文献２】特開平７−６４７５８号公報
【発明の開示】
【発明が解決しようとする課題】
【０００４】
しかしながら、利用者の操作指示を受け付ける入力装置として、キーボードとタッチパネル式のディスプレイとの双方が存在する場合、上述した特許文献１及び２に記載の表示制御方法では、キーボードが有する操作キーとディスプレイに表示される操作キー画像との整合性が保証されない。このため、同一機能を有する操作キーがキーボードとディスプレイに表示される操作キー画像の双方に重複して存在したり、アプリケーションプログラムの実行に必要な操作キーがキーボードとディスプレイに表示される操作キー画像のいずれにも存在しないことが起こり得る。
【０００５】
このような問題に対して、キーボードが有する操作キーとディスプレイに表示される操作キー画像との整合性を保証すべく、個々のキーボード毎にアプリケーションプログラムを用意し、当該アプリケーションプログラムの実行に際して、キーボードが有する操作キーを把握可能とする方法が考えられる。しかし、この方法では、アプリケーションプログラムの汎用性が著しく低下してしまう。
【０００６】
本発明は、前述したような従来の問題を解決するためになされたもので、汎用性を持たせつつ、且つ、入力装置間の整合性を図ることが可能な情報処理装置、表示制御方法及び表示制御プログラムを提供するものである。
【課題を解決するための手段】
【０００７】
本発明に係る情報処理装置は、アプリケーションプログラムを実行するアプリケーション実行手段を有し、操作指示に応じた所定の情報処理を行うものであって、タッチパネル式の表示部と、複数の操作キーを有する操作部と、前記操作部が有する操作キーに関する情報を取得する操作キー情報取得手段と、前記アプリケーションの実行に際して必要な操作キーに関する情報を取得する実行操作キー情報取得手段と、前記操作キー情報取得手段により取得された前記操作部が有する操作キーに関する情報と、前記実行操作キー取得手段により取得された前記アプリケーションの実行に際して必要な操作キーに関する情報とに基づいて、前記アプリケーションプログラムの実行に際して必要な操作キーのうち、前記操作部が有していない操作キーを表す画像を前記表示部に表示させる制御を行う表示制御手段とを有する。
【０００８】
この構成により、アプリケーションプログラムは、自身の実行に必要な操作キーに関する情報を出力する処理を行うものであれば良く、キーボード等の操作部にどのような操作キーが存在し、アプリケーションプログラムの実行に際して不足している操作キーがどれかであるかを判定する処理は、アプリケーションプログラムの処理とは別に行われる。従って、操作部が異なる場合でも同一のアプリケーションプログラムを用いることが可能であり、アプリケーションプログラムに汎用性を持たせつつ、且つ、入力装置間の整合性を図ることが可能となる。
【０００９】
また、本発明に係る情報処理装置は、前記操作部が有する操作キーの押下と、前記表示部に表示された前記操作キーを表す画像の表示領域の押下とのそれぞれに応じた操作情報を前記アプリケーション実行手段へ出力する操作情報出力手段を有する。
【００１０】
この構成により、アプリケーションプログラムは、操作部が有する操作キーの押下であるか、表示部に表示された操作キーを表す画像の表示領域の押下であるかを意識することなく、利用者の操作指示に応じた処理を行うものであればよく、汎用性が維持される。
【００１１】
また、本発明に係る情報処理装置は、前記操作部が有する操作キーのうち、前記実行操作キー取得手段により取得された前記アプリケーションの実行に際して必要な操作キー以外の操作キーが押下された場合に、該操作キーの押下の無効を通知する無効通知手段を有する。
【００１２】
この構成により、キー操作の無効を利用者に通知することが可能となる。
【００１３】
また、本発明の表示制御方法は、アプリケーションプログラムを実行し、操作指示に応じた所定の情報処理を行う情報処理装置におけるものであって、操作部が有する操作キーに関する情報を取得する操作キー情報取得ステップと、前記アプリケーションの実行に際して必要な操作キーに関する情報を取得する実行操作キー情報取得ステップと、前記操作キー情報取得ステップにおいて取得された前記操作部が有する操作キーに関する情報と、前記実行操作キー取得ステップにおいて取得された前記アプリケーションの実行に際して必要な操作キーに関する情報とに基づいて、前記アプリケーションプログラムの実行に際して必要な操作キーのうち、前記操作部が有していない操作キーを表す画像を表示部に表示させる制御を行う表示制御ステップとを有する。
【００１４】
また、本発明に係る表示制御プログラムは、アプリケーションプログラムを実行し、操作指示に応じた所定の情報処理を行う情報処理装置において実行されるものであって、操作部が有する操作キーに関する情報を取得する操作キー情報取得ステップと、前記アプリケーションの実行に際して必要な操作キーに関する情報を取得する実行操作キー情報取得ステップと、前記操作キー情報取得ステップにおいて取得された前記操作部が有する操作キーに関する情報と、前記実行操作キー取得ステップにおいて取得された前記アプリケーションの実行に際して必要な操作キーに関する情報とに基づいて、前記アプリケーションプログラムの実行に際して必要な操作キーのうち、前記操作部が有していない操作キーを特定する不足操作キー特定ステップと、前記不足操作キー特定ステップにおいて特定された前記操作キーを表す画像を表示部に表示させる制御を行う表示制御ステップとを有する。
【発明の効果】
【００１５】
本発明によれば、操作部が異なる場合でも、同一のアプリケーションプログラムを用いることが可能であり、アプリケーションプログラムに汎用性を持たせつつ、且つ、操作キーを有する操作部とタッチパネルを有し、操作キー画像を表示する表示部からなる入力装置間の整合性を図ることが可能となる。
【発明を実施するための最良の形態】
【００１６】
以下、本発明の実施の形態の情報処理装置としてのプリンタについて、図面を用いて説明する。
【００１７】
図１は、プリンタの構成を示す図である。図１に示すプリンタ１００は、アプリケーション実行部１１０、ＲＯＭ（Read Only Memory）１２０、表示・入力制御部１３０、キーボード１４０、タッチパネル式の表示部１５０、スピーカ１６０、プリント機構１７０を有する。これらのうち、ＲＯＭ１２０には、印刷動作において実行されるプリントアプリケーションプログラム１２２が記憶される。また、キーボード１４０は、操作キーとしてのテンキー１４１、開始キー１４２及び停止キー１４３を有する。
【００１８】
アプリケーション実行部１１０は、ＲＯＭ１２０からプリントアプリケーションプログラム１２２を読み出して実行する。
【００１９】
表示・入力制御部１３０は、上述したアプリケーション実行部１１０におけるアプリケーションプログラム１２２の実行に際して、利用者によるパラメータ入力の必要が生じた場合に、表示部１５０における画面表示の制御と、利用者の操作指示に応じた制御を行う。
【００２０】
図２は、表示・入力制御部１３０による画面表示の制御を示すフローチャートである。表示・入力制御部１３０は、アプリケーション実行部１１０によるプリントアプリケーションプログラム１２２の実行に際して、キーボード１４０から当該キーボード１４０が有するテンキー１４１、開始キー１４２及び停止キー１４３（以下、これらテンキー１４１、開始キー１４２及び停止キー１４３をまとめて、適宜「装備キー」と称する）に関する情報（以下、「装備キー情報」と称する）を取得する（Ｓ１０１）。
【００２１】
図３は、装備キー情報の一例を示す図である。図３に示す装備キー情報は、装備キーであるテンキー１４１、開始キー１４２及び停止キー１４３のそれぞれに対応するものであり、各装備キーの機能を含んでいる。例えば、表示・入力制御部１３０は、キーボード１４０に対して装備キー情報の出力を指示し、キーボード１４０は、この指示に応じて装備キー情報を出力する。あるいは、キーボード１４０は、所定のタイミングで、表示・入力制御部１３０の指示によることなく、装備キー情報を出力する。
【００２２】
次に、表示・入力制御部１３０は、アプリケーション実行部１１０からプリントアプリケーションプログラム１２２の実行に必要な操作キー（以下、「使用キー」と称する）に関する情報（以下、「使用キー情報」と称する）を取得する（Ｓ１０２）。
【００２３】
図４は、表示部１５０に表示すべき入力画面の一例を示す図である。図４に示す入力画面は、利用者が印刷倍率と印刷部数とを設定可能であり、その設定を割込み処理によって印刷に反映させる場合の例であり、印刷倍率の選択肢の画像２０１、印刷部数の入力欄の画像２０２、及び、利用者が割込み処理を指示するための割込みボタンの画像２０３とによって構成される。
【００２４】
図４に示す入力画面において、印刷倍率は、利用者が印刷倍率の選択肢の画像２０１の表示領域を押下することによって設定可能である。一方、印刷部数は、利用者が数字入力を行って設定する必要がある。また、割込み処理は、利用者が割込みボタンの画像２０３の表示領域を押下して指示する必要がある。従って、プリントアプリケーションプログラム１２２の実行に際して、数字入力のための操作キーと割込み処理を指示するための操作キーとが必要になる。
【００２５】
図５は、使用キー情報の一例を示す図である。図５に示す使用キー情報は、表示部１５０に表示すべき入力画面が図４に示すものである場合の例であり、各使用キーの機能を含んでいる。上述したように、プリントアプリケーションプログラム１２２の実行に際して、数字入力のための操作キーと割込み処理を指示するための操作キーとが必要になるため、図５に示す使用キー情報には、０乃至９の数字を入力する機能を有する操作キーと、割込み処理を指示する操作キーの情報が含まれることになる。
【００２６】
例えば、表示・入力制御部１３０は、アプリケーション実行部１１０に対して使用キー情報の出力を指示し、アプリケーション実行部１１０は、この指示に応じて使用キー情報を出力する。あるいは、アプリケーション実行部１１０は、プリントアプリケーションプログラム１２２の実行において、利用者の操作指示が必要になったタイミングで、表示・入力制御部１３０の指示によることなく、使用キー情報を出力する。
【００２７】
更に、表示・入力制御部１３０は、アプリケーション実行部１１０からの画面表示指示を取得する（Ｓ１０３）。この画像表示指示には、表示部１５０に表示させるべき入力画面のうち、操作キーを表す画像以外の画像とその画像の表示領域等のデータからなる画面表示情報が含まれる。
【００２８】
次に、表示・入力制御部１３０は、使用キー情報によって特定される使用キーが装備キー情報によって特定される装備キーに含まれているか否かを判定する（Ｓ１０４）。使用キー情報によって特定される使用キーのうち、装備キー情報によって特定される装備キーに含まれないものが存在する場合、表示・入力制御部１３０は、装備キーに含まれていない使用キーを画像表示情報に追加する（Ｓ１０５）。具体的には、表示・入力制御部１３０は、装備キーに含まれていない使用キーを表す画像とその画像の表示領域等を、取得した画面表示指示に含まれる画面表示情報に追加する。また、表示・入力制御部１３０は、使用キー情報に基づいて、装備キーに含まれていない使用キーを表す画像の表示領域と当該使用キーの機能とを対応付ける。
【００２９】
例えば、装備キー情報が図３に示すものであり、使用キー情報が図５に示すものである場合、使用キー情報によって特定される使用キーのうち、「０」乃至「９」を入力するための使用キーは、装備キー情報によって特定される装備キーに含まれる。一方、使用キー情報によって特定される使用キーのうち、割り込みを指示するための使用キーは、装備キー情報によって特定される装備キーに含まれていない。このため、表示・入力制御部１３０は、Ｓ１０４において、使用キーが装備キーに含まれていないと判断し、Ｓ１０５において、割り込みを指示するための使用キーを表す画像とその画像の表示領域等を画像表示情報に追加する。更に、表示・入力制御部１３０は、Ｓ１０５において、取得した使用キー情報に基づいて、割り込みを指示するための使用キーを表す画像の表示領域と、当該使用キーの機能である「割込み指示」とを対応付ける。
【００３０】
次に、表示・入力制御部１３０は、画像表示情報に基づいて、入力画面を表示部１５０に表示させる制御を行う（Ｓ１０６）。具体的には、表示・入力制御部１３０は、画像表示情報に含まれる各画像とその画像の表示領域とを抽出し、各画像を対応する表示領域に配置することによって入力画面のデータを生成し、表示部１５０へ出力する。表示部１５０は、この入力画面のデータを利用して入力画面を表示する。
【００３１】
一方、Ｓ１０４において使用キーが装備キーに含まれていると判定した場合にも、表示・入力制御部１３０は、同様に、入力画面を表示部１５０に表示させる制御を行う（Ｓ１０６）。
【００３２】
このようにして、入力画面が表示部１５０に表示された後、表示・入力制御部１３０は、利用者の操作指示に応じた制御を行う。図６は、表示・入力制御部１３０による利用者の操作指示に応じた制御を示すフローチャートである。表示・入力制御部１３０は、キーボード１４０から当該キーボード１４０が有する装備キーが押下された旨の情報（以下、「装備キー押下情報」と称する）を取得したか否かを判定する（Ｓ２０１）。キーボード１４０は、利用者が装備キーを押下した場合に、その押下された装備キーを特定する情報を含んだ装備キー押下情報を出力する。従って、表示・入力制御部１３０は、この装備キー押下情報によって、利用者が押下した装備キーを特定することができる。
【００３３】
装備キー押下情報が取得されていない場合、表示・入力制御部１３０は、表示部１５０から当該表示部１５０に表示された入力画面が押下された旨の情報（以下、「押下情報」と称する）を取得したか否かを判定する（Ｓ２０２）。表示部１５０は、利用者が入力画面を押下した場合、その押下力が所定値以上であれば、その押下された領域を含んだ押下情報を出力する。従って、表示・入力制御部１３０は、この押下情報によって、入力画面において利用者が押下した領域を特定することができる。
【００３４】
押下情報が取得された場合、表示・入力制御部１３０は、利用者によって押下された領域が使用キーを表す画像の表示領域であるか否かを判定する（Ｓ２０３）。上述したように、押下情報には、押下された領域が含まれているため、表示・入力制御部１３０は、利用者によって押下された領域を特定することができる。また、図３のＳ１０５において、表示・入力制御部１３０は、装備キーに含まれていない使用キーを表す画像とその画像の表示領域等を、取得した画面表示指示に含まれる画面表示情報に追加しているため、この画像表示情報に基づいて、使用キーの表示領域を特定することができる。そして、表示・入力制御部１３０は、これら特定した、利用者によって押下された領域と使用キーの表示領域とを比較して、利用者によって押下された領域が使用キーを表す画像の表示領域であるか否かを判定することができる。
【００３５】
利用者によって押下された領域が使用キーを表す画像の表示領域である場合、表示・入力制御部１３０は、キー押下情報を生成してアプリケーション実行部１１０へ出力する（Ｓ２０４）。図３のＳ１０５において、表示・入力制御部１３０は、使用キー情報に基づいて、装備キーに含まれていない使用キーを表す画像の表示領域と当該使用キーの機能とを対応付けている。従って、表示・入力制御部１３０は、利用者によって押下された領域が使用キーを表す画像の表示領域である場合、その押下された表示領域に対応付けられている使用キーの機能を特定することができる。そして、表示・入力制御部１３０は、その特定した機能を含んだキー押下情報を生成する。アプリケーション実行部１１０は、入力されたキー押下情報に基づいて、利用者の操作指示を把握し、その操作指示に応じてプリント機構１７０を駆動させて印刷を行う等、所定の処理を行う。
【００３６】
一方、表示部１５０から押下情報が取得されていない場合（Ｓ２０２において否定判断された場合）や、利用者によって押下された領域が使用キーの画像の表示領域でない場合（Ｓ２０３において否定判断された場合）には、一連の動作が終了する。
【００３７】
また、キーボード１４０から装備キー押下情報が取得された場合（Ｓ２０１において工程判断された場合）、表示・入力制御部１３０は、利用者によって押下された装備キーが使用キーであるか否かを判定する（Ｓ２０５）。上述したように、装備キー押下情報には、利用者によって押下された装備キーを特定する情報が含まれており、表示・入力制御部１３０は、この装備キー押下情報によって、利用者が押下した装備キーを特定することができる。そして、表示・出力制御部１３０は、装備キー情報と使用キー情報とに基づいて、特定した装備キーと同一の機能を有する使用キーが存在するか否かを判定し、存在する場合には、押下された装備キーが使用キーであると判断し、存在しない場合には、押下された装備キーが使用キーでないと判断する。例えば、装備キー情報が図３に示すものであり、使用キー情報が図５に示すものである場合、装備キーのうち、開始指示のための装備キーが押下された場合には、その押下された装備キーが使用キーでないと判断される。
【００３８】
利用者によって押下された装備キーが使用キーでない場合には、利用者がキー操作を誤ったということである。このため、表示・入力制御部１３０は、利用者にキー操作の無効を通知すべく、スピーカ１６０に所定の警告音を出力させる制御を行う（Ｓ２０６）。
【００３９】
一方、利用者によって押下された装備キーが使用キーである場合には、表示・入力制御部１３０は、キー押下情報を生成してアプリケーション実行部１１０へ出力する（Ｓ２０４）。具体的には、表示・入力制御部１３０は、Ｓ２０５において特定した、利用者が押下した装備キーに対応する機能を含んだキー押下情報を生成する。アプリケーション実行部１１０は、入力されたキー押下情報に基づいて、利用者の操作指示を把握し、その操作指示に応じて所定の処理を行う。
【００４０】
このように、本実施形態のプリンタ１００では、表示・入力制御部１３０は、アプリケーション実行部１１０におけるプリントアプリケーションプログラム１２２の実行に際して、必要な操作キーに関する情報である使用キー情報を取得するとともに、キーボード１４０が有する操作キーに関する情報である装備キー情報を取得し、プリントアプリケーションプログラム１２２の実行に際して必要な操作キーであるが、キーボード１４０に存在しない操作キーについては、その必要な操作キーを表す画像を表示部１５０に表示させて、画面の押下による操作指示を可能とする。従って、プリントアプリケーションプログラム１２２は、使用キー情報を出力する処理を行うものであれば良く、専ら表示・入力制御部１３０が、キーボード１４０にどのような操作キーが存在し、プリントアプリケーションプログラム１２２の実行に際して不足している操作キーがどれかであるかを判定する処理を行う。このため、キーボード１４０が異なる場合でも同一のプリントアプリケーションプログラム１２２を用いることが可能であり、プリントアプリケーションプログラム１２２に汎用性を持たせることができる。また、キーボード１４０が有する操作キーと表示部１５０に表示される操作キーの画像との整合性を図ることが可能となる。
【００４１】
また、表示・入力制御部１３０は、利用者によって表示部１５０における操作キーの画像の表示領域が押下された場合、及び、キーボード１４０が有する装備キーが押下された場合のいずれにおいても、両者を区別することなく、キー押下情報としてアプリケーション実行部１１０へ出力する。このため、プリントアプリケーションプログラム１２２は、キーボード１４０が有する装備キーの押下であるか、表示部１５０に表示された操作キーを表す画像の表示領域の押下であるかを意識することなく、利用者の操作指示に応じた処理を行うことができ、汎用性が維持される。
【００４２】
なお、上述した実施形態では、プリンタ１００に本発明が適用される場合を説明したが、コピー機、スキャナ、あるいはこれらの機能を併せ持ついわゆるデジタル複合機等についても、同様に本発明を適用することができる。
【産業上の利用可能性】
【００４３】
以上、説明したように、本発明に係る情報処理装置、表示制御方法及び表示制御プログラムは、汎用性を持たせつつ、且つ、入力装置間の整合性を図ることが可能という効果を奏し、本発明に係る情報処理装置、表示制御方法及び表示制御プログラムとして有用である。
【図面の簡単な説明】
【００４４】
【図１】プリンタの構成を示す図である。
【図２】画面表示の制御を示すフローチャートである。
【図３】装備キー情報の一例を示す図である。
【図４】入力画面の一例を示す図である。
【図５】使用キー情報の一例を示す図である。
【図６】利用者の操作指示に応じた制御を示すフローチャートである。
【符号の説明】
【００４５】
１００  プリンタ
１１０  アプリケーション実行部
１２０  ＲＯＭ
１２２  プリントアプリケーションプログラム
１３０  表示・入力制御部
１４０  キーボード
１４１  テンキー
１４２  開始キー
１４３  終了キー
１５０  表示部
１６０  スピーカ
１７０  プリント機構
【図１】
2006079357.tif 000003
【図２】
2006079357.tif 000004
【図３】
2006079357.tif 000005
【図４】
2006079357.tif 000006
【図５】
2006079357.tif 000007
【図６】
2006079357.tif 000008